(57)【要約】【課題】フルカラー化したフォームのデザインを自分自身で行いたいという印刷物の発注者の要望に対応し、かつ発注者から支給される原稿に基づいて印刷会社における製造を可能とするシステムとしてバリアブルＰＤＦ編集システムの提供。【解決手段】複数の顧客の各々に対応する可変情報を含むバリアブルＰＤＦ原稿を編集するバリアブルＰＤＦ編集システムであって、製造工程を管理するための製造管理情報のカラム情報である製造管理カラム情報を設定する製造管理カラム情報設定手段と、設定した製造管理カラム情報に基づいてバリアブルＰＤＦ原稿に製造管理情報を付加する製造管理情報付加手段とを有するようにした。【選択図】  図２
2010198403.tif 000002
【特許請求の範囲】
【請求項１】
複数の顧客の各々に対応する可変情報を含むバリアブルＰＤＦ原稿を編集するバリアブルＰＤＦ編集システムであって、
製造工程を管理するための製造管理情報のカラム情報である製造管理カラム情報を設定する製造管理カラム情報設定手段と、
前記設定した製造管理カラム情報に基づいて前記バリアブルＰＤＦ原稿に製造管理情報を付加する製造管理情報付加手段と、
を有することを特徴とするバリアブルＰＤＦ編集システム。
【請求項２】
請求項１に記載のバリアブルＰＤＦ編集システムにおいて、前記可変情報に含まれている顧客情報のカラム情報である顧客カラム情報を設定する顧客カラム情報設定手段と、
前記設定した顧客カラム情報に基づいて前記バリアブルＰＤＦ原稿における顧客単位の枚数情報を抽出する顧客単位枚数情報抽出手段と、
質量区分情報を設定する質量区分情報設定手段と、
前記設定した質量区分情報と前記枚数情報に基づいて顧客単位の質量情報を演算する顧客単位質量情報演算手段と、
前記演算した質量情報に基づいて前記バリアブルＰＤＦ原稿を質量順に顧客単位で並び替える顧客単位質量順ソート手段と、
を有し、前記製造管理情報付加手段は前記並び替えたバリアブルＰＤＦ原稿に製造管理情報を付加する製造管理情報付加手段であることを特徴とするバリアブルＰＤＦ編集システム。
【請求項３】
請求項１または２に記載のバリアブルＰＤＦ編集システムにおいて、  バリアブルＰＤＦ原稿を検査するための検査プロファイルを作成する検査プロファイル作成手段と、
前記作成した検査プロファイルに基づいてバリアブルＰＤＦ原稿の仕様を検査するＰＤＦ仕様検査手段と、
前記検査で不良と判定されたページを含む顧客単位の全ページを除去し新たなバリアブルＰＤＦ原稿を生成する不良ページ除去手段と、
を有することを特徴とするバリアブルＰＤＦ編集システム。
【請求項４】
請求項１〜３のいずれかに記載のバリアブルＰＤＦ編集システムにおいて、入稿したバリアブルＰＤＦ原稿の可変情報には含まれていなかった新規の可変情報を前記バリアブルＰＤＦ原稿に追記する可変情報追記手段を有することを特徴とするバリアブルＰＤＦ編集システム。
【発明の詳細な説明】
【技術分野】
【０００１】
本発明は可変情報が含まれるバリアブルＰＤＦを編集する技術分野に属する。特に、製造依頼元より入稿したバリアブルＰＤＦ原稿に対して、製造工程において必要とする製造管理情報を付加することが可能なバリアブルＰＤＦ編集システムに関する。
【背景技術】
【０００２】
固定情報だけでなく可変情報が含まれる印刷物としてダイレクトメールが良く知られている。ダイレクトメールにおける宛先、その宛先に応じたメッセージ等は代表的な可変情報である。利用明細のダイレクトメールであれば、利用明細の部分も可変情報である。取扱商品の案内状であれば、送付する顧客の属性に合致する取扱商品だけを選択して案内すると効果的であり、そのような取扱商品の部分も可変情報となる。ダイレクトメールだけでなく、パーソナル保険システム等におけるパーソナル約款、学習者が選択した科目とその科目の学習の進展に合わせて必要とする部分だけを編集したパーソナル問題集、等も可変情報が含まれる印刷物である。
このような可変情報が含まれる印刷物の印刷データを編集する従来のシステムとしては、割付領域内に確実に印刷情報を割り付けるバリアブル印刷文書編集システム（特許文献１）、割付の不具合を容易に確認できてこれを修正できるバリアブル印刷文書編集システム（特許文献２）、バリアブルプリンタ装置の多面割付情報を容易に作成するバリアブルプリント割付編集システム（特許文献３）、等が公知である。
【先行技術文献】
【特許文献】
【０００３】
【特許文献１】特開２００８−１５２３１０
【特許文献２】特開２００８−１３４９６１
【特許文献３】特開２００７−１３０９４７
【０００４】
ところで、可変情報が含まれる印刷物は、顧客、学習者、等の個人に対して提供される印刷物であるから、その個人との好適なコミュニケーション媒体でもある。そこで個人宛のメッセージを含む印刷物を通じて顧客、学習者、等の個人に好印象を与えることは重要であり、それを可能とする印刷物が求められる。
しかしながら従来においては、可変情報が含まれる印刷物においてフォームの部分は印刷会社が版下を作成し、オフセット印刷機等を使用して印刷し、その上にモノクロプリンタで可変情報を印字していた。このため、印刷物の発注者から印刷会社に支給されるデータはテキスト及びモノクロイメージ以外にはなく、印刷物の発注者は顧客を良く知る立場でありながら、自由にフォームのデザインを行うことができないという問題があった。
一方、印刷物の発注者においては、ＰＤＦ（Portable Document Format）によって簡易にフルカラー化したフォームのデザインを自分自身で提供する環境が十分に整って来ている。そして、近年フルカラーＰＤＦを高速に出力できるプリンタが市場に出現する状況下において、印刷物の発注者が、版下部分と可変情報を含むＰＤＦを作成して入稿し、出力を依頼することが多くなってきた。これは、フルカラー化によりグラフなど帳票自身がより複雑な形態となり、印刷物の発注者がコンサルティングでのノウハウを帳票に含めていくためには必要な流れである。しかしながら、印刷会社においては、入稿するＰＤＦ原稿そのままでは、印刷、封入封緘、区分工程等における製造管理情報を有しないため製造を行うことができないという問題がある。
【発明の概要】
【発明が解決しようとする課題】
【０００５】
本発明は上記の問題を解決するために成されたものである。その目的は、フルカラー化したフォームのデザインまで自分自身で行いたいという印刷物の発注者の要望に対応し、かつ発注者から支給される原稿に基づいて印刷会社における製造を可能とするシステムとしてバリアブルＰＤＦ編集システムを提供することにある。
【課題を解決するための手段】
【０００６】
本発明の請求項１に係るバリアブルＰＤＦ編集システムは、複数の顧客の各々に対応する可変情報を含むバリアブルＰＤＦ原稿を編集するバリアブルＰＤＦ編集システムであって、製造工程を管理するための製造管理情報のカラム情報である製造管理カラム情報を設定する製造管理カラム情報設定手段と、前記設定した製造管理カラム情報に基づいて前記バリアブルＰＤＦ原稿に製造管理情報を付加する製造管理情報付加手段とを有するようにしたものである。
また、本発明の請求項２に係るバリアブルＰＤＦ編集システムは、請求項１に係るバリアブルＰＤＦ編集システムにおいて、前記可変情報に含まれている顧客情報のカラム情報である顧客カラム情報を設定する顧客カラム情報設定手段と、前記設定した顧客カラム情報に基づいて前記バリアブルＰＤＦ原稿における顧客単位の枚数情報を抽出する顧客単位枚数情報抽出手段と、質量区分情報を設定する質量区分情報設定手段と、前記設定した質量区分情報と前記枚数情報に基づいて顧客単位の質量情報を演算する顧客単位質量情報演算手段と、前記演算した質量情報に基づいて前記バリアブルＰＤＦ原稿を質量順に顧客単位で並び替える顧客単位質量順ソート手段とを有し、前記製造管理情報付加手段は前記並び替えたバリアブルＰＤＦ原稿に製造管理情報を付加する製造管理情報付加手段であるようにしたものである。
また、本発明の請求項３に係るバリアブルＰＤＦ編集システムは、請求項１または２に記載のバリアブルＰＤＦ編集システムにおいて、バリアブルＰＤＦ原稿を検査するための検査プロファイルを作成する検査プロファイル作成手段と、前記作成した検査プロファイルに基づいてバリアブルＰＤＦ原稿の仕様を検査するＰＤＦ仕様検査手段と、前記検査で不良と判定されたページを含む顧客単位の全ページを除去し新たなバリアブルＰＤＦ原稿を生成する不良ページ除去手段とを有するようにしたものである。
また、本発明の請求項４に係るバリアブルＰＤＦ編集システムは、請求項１〜３のいずれかに記載のバリアブルＰＤＦ編集システムにおいて、入稿したバリアブルＰＤＦ原稿の可変情報には含まれていなかった新規の可変情報を前記バリアブルＰＤＦ原稿に追記する可変情報追記手段を有するようにしたものである。
【発明の効果】
【０００７】
本発明の請求項１に係るバリアブルＰＤＦ編集システムによれば、複数の顧客の各々に対応する可変情報を含むバリアブルＰＤＦ原稿を編集するバリアブルＰＤＦ編集システムであって、製造管理カラム情報設定手段により製造工程を管理するための製造管理情報のカラム情報である製造管理カラム情報が設定され、製造管理情報付加手段により前記設定した製造管理カラム情報に基づいて前記バリアブルＰＤＦ原稿に製造管理情報が付加される。すなわち、ＰＤＦ原稿であるから印刷物の発注者によって簡易にフルカラー化したフォームのデザインを行うことができ、そのＰＤＦ原稿に製造管理情報を付加することができるから、印刷会社における製造が可能である。したがって、フルカラー化したフォームのデザインまで自分自身で行いたいという印刷物の発注者の要望に対応し、かつ発注者から支給される原稿に基づいて印刷会社における製造を可能とするシステムとしてバリアブルＰＤＦ編集システムが提供される。
また、本発明の請求項２に係るバリアブルＰＤＦ編集システムによれば、請求項１に係るバリアブルＰＤＦ編集システムにおいて、顧客カラム情報設定手段により前記可変情報に含まれている顧客情報のカラム情報である顧客カラム情報が設定され、顧客単位枚数情報抽出手段により前記設定した顧客カラム情報に基づいて前記バリアブルＰＤＦ原稿における顧客単位の枚数情報が抽出され、質量区分情報設定手段により質量区分情報が設定され、顧客単位質量情報演算手段により前記設定した質量区分情報と前記枚数情報に基づいて顧客単位の質量情報が演算され、顧客単位質量順ソート手段により前記演算した質量情報に基づいて前記バリアブルＰＤＦ原稿が質量順に顧客単位で並び替えられ、前記製造管理情報付加手段は前記並び替えたバリアブルＰＤＦ原稿に製造管理情報を付加する。したがって、製造管理情報を付加し、かつ質量順に顧客単位で並び替えられたバリアブルＰＤＦ原稿を得ることができる。
また、本発明の請求項３に係るバリアブルＰＤＦ編集システムによれば、請求項１または２に記載のバリアブルＰＤＦ編集システムにおいて、検査プロファイル作成手段によりバリアブルＰＤＦ原稿を検査するための検査プロファイルが作成され、ＰＤＦ仕様検査手段により前記作成した検査プロファイルに基づいてバリアブルＰＤＦ原稿の仕様が検査され、不良ページ除去手段により前記検査で不良と判定されたページを含む顧客単位の全ページを除去し新たなバリアブルＰＤＦ原稿が生成される。したがって、ＰＤＦ仕様が適合するページだけからなるバリアブルＰＤＦ原稿を得ることができる。
また、本発明の請求項４に係るバリアブルＰＤＦ編集システムによれば、請求項１〜３のいずれかに記載のバリアブルＰＤＦ編集システムにおいて、可変情報追記手段により入稿したバリアブルＰＤＦ原稿の可変情報には含まれていなかった新規の可変情報が前記バリアブルＰＤＦ原稿に追記される。したがって、入稿したバリアブルＰＤＦ原稿が有していなかった可変情報を追記したバリアブルＰＤＦ原稿を得ることができる。
【図面の簡単な説明】
【０００８】
【図１】本発明のバリアブルＰＤＦ編集システムにおける構成の一例を示す説明図である。
【図２】本発明のバリアブルＰＤＦ編集システムにおける構成の一例を示すブロック図である。
【図３】本発明のバリアブルＰＤＦ編集システムにおける検査プロファイルの一例を示す表である。
【図４】本発明のバリアブルＰＤＦ編集システムにおける設定に係わる処理過程の一例を示すフロー図である。
【図５】本発明のバリアブルＰＤＦ編集システムにおける出力に係わる処理過程の一例を示すフロー図である。
【図６】本発明のバリアブルＰＤＦ編集システムにおいて編集し出力した管理情報付バリアブルＰＤＦの印刷物（表ページ）の一例を示す図である。
【図７】本発明のバリアブルＰＤＦ編集システムにおいて編集し出力した管理情報付バリアブルＰＤＦの印刷物（裏ページ）の一例を示す図である。
【発明を実施するための形態】
【０００９】
次に、本発明の実施の形態について図を参照しながら説明する。本発明のバリアブルＰＤＦ編集システムにおける構成の一例を図１、図２に示す。図１、図２において、１００はバリアブル編集システム、１１０は記憶部、１１１は製造管理カラム情報、１１２は製造管理情報、１１３は顧客カラム情報、１１４は顧客情報、１１５は顧客単位枚数情報質量区分情報、１１６は質量区分情報、１１７は検査プロファイル、１１８は顧客単位質量情報、１１９はＰＤＦ仕様検査結果、１２０は処理部、１２１は製造管理カラム情報設定手段、１２２は製造管理情報付加手段、１２３は検査プロファイル作成手段、１２４はＰＤＦ仕様検査手段、１２５は不良ページ除去手段、１２６は顧客カラム情報設定手段、１２７は顧客単位枚数情報抽出手段、１２８は質量区分情報設定手段、１２９は顧客単位質量情報演算手段、１３０は顧客単位質量順ソート手段、１３１は可変情報追記手段、２００，２００’はバリアブルＰＤＦ原稿、３００，３００’は追記する顧客データ、４００，４００’は製造管理情報付バリアブルＰＤＦ、５００は並び替えたバリアブルＰＤＦである。
本発明のバリアブルＰＤＦ編集システム１００は、図１、図２に示すように、バリアブルＰＤＦ原稿２００と追記する顧客データ３００を入力データとし、製造管理情報付バリアブルＰＤＦ４００を出力データとする編集システムである。すなわち、複数の顧客の各々に対応する可変情報を含むバリアブルＰＤＦ原稿の編集システムである。
【００１０】
バリアブルＰＤＦ原稿２００は、たとえば、得意先が印刷会社へ印刷発注するときに印刷原稿として印刷会社に提供するＰＤＦ（Portable Document Format）の原稿である。バリアブルＰＤＦ原稿２００は固定情報だけでなく可変情報を含む多数のページによって構成される。可変情報が含まれている印刷物としては、「背景技術」においても説明したように、ダイレクトメールにおける宛先、その宛先に応じたメッセージ（利用明細、顧客に特化した商品情報、等）、パーソナル保険システム等におけるパーソナル約款、学習者が選択した科目とその科目の学習の進展に合わせて必要とする部分だけを編集したパーソナル問題集、等である。
追記する顧客データ３００は、たとえば、カスタマーバーコード（図６のカスタマーコード４０２参照）である。カスタマーバーコードは郵便物の宛先をバーコード化し郵便番号自動読取区分機での処理を効率化するためのバーコードである。特定の条件に一致し、機械処理が可能なようにカスタマーバーコードを印字した郵便物は一定の割引を受けることができる。その他、顧客データであって、バリアブルＰＤＦ原稿２００の可変情報には含まれていない情報であれば追記する顧客データ３００の対象となる。また、含まれていたとしても記載する態様を変化させるようなときには追記する顧客データ３００の対象となる。
【００１１】
製造管理情報付バリアブルＰＤＦ４００は、バリアブルＰＤＦ編集システム１００において製造管理情報１１２を付加する等の編集が行われた最終のデータ、すなわち印刷物と同様のイメージを有するＰＤＦデータである。
製造管理情報１１２としては、たとえば、品質管理用のＱＲコード、処理日・回数・進行単位、ページ連番、通数連番、枚目／枚数、封入封緘識別コード、墨玉、色玉、トンボ、等である。
また、製造管理情報付バリアブルＰＤＦ４００には上記の製造管理情報１１２だけでなく、前述したカスタマーバーコード、ユニークキーとして顧客コード、等の追記する顧客データ３００も付加される。
【００１２】
バリアブルＰＤＦ編集システム１００は、図１に一例を示すように、パーソナルコンピュータシステム、等のデータ処理装置のハードウェアとソフトウェアによって実現することができる。バリアブルＰＤＦ編集システム１００は、図２に一例を示すように、記憶部１１０と処理部１２０とを有する。
記憶部１１０は、図２に示す一例においては、外部から読み込んだデータとして、バリアブルＰＤＦ原稿２００’、追記する顧客データ３００’を有する（記憶する）。また、外部へ書き出すデータとして製造管理情報付バリアブルＰＤＦ４００’を有する。また、データ処理の途中で生じるバリアブルＰＤＦの一つとして並び替えたバリアブルＰＤＦ５００を有する。データ処理の途中で生じる他のデータとして、製造管理カラム情報１１１、製造管理情報１１２、顧客カラム情報１１３、顧客情報１１４、顧客単位枚数情報１１５、質量区分情報１１６、検査プロファイル１１７、顧客単位の質量情報、ＰＤＦ仕様検査結果１１９を有する。
処理部１２０は、図２に示す一例においては、製造管理カラム情報設定手段１２１、製造管理情報付加手段１２２、検査プロファイル作成手段１２３、ＰＤＦ仕様検査手段１２４、不良ページ除去手段１２５、顧客カラム情報設定手段１２６、顧客単位枚数情報抽出手段１２７、質量区分情報設定手段１２８、顧客単位質量情報演算手段１２９、顧客単位質量順ソート手段１３０、可変情報追記手段１３１を有する。
【００１３】
製造管理カラム情報設定手段１２１は製造工程を管理するための製造管理情報１１２のカラム情報である製造管理カラム情報１１１を設定する。製造管理カラム情報１１１は、製造に係わる属性であって、たとえば、品質管理用のＱＲコード、処理日・回数・進行単位、ページ連番、通数連番、枚目／枚数、封入封緘識別コード、墨玉、色玉、トンボ、等である。ＱＲコードは処理日・回数・進行単位、ページ連番、等を機械読取（ＱＲコードリーダでの読み取り）を可能とするために設けられる。処理日はデータ処理を行った日、回数はその日に同一品目を処理した回数、進行単位は進行単位を区分するためのコード、ページ連番はプリント単位内でのページの通し番号、通数連番は顧客単位製品のシーケンス番号、枚目／枚数は顧客単位製品内でのページの通し番号、封入封緘識別コードは名寄せ照合を行うためのコード、墨玉と色玉とトンボは多色印刷を行うときに印刷管理マークである。
製造管理情報１１２は、それらの属性値である。たとえば、属性である「ページ連番」の属性値は「００００００１」、「００００００２」、「００００００３」、・・・、属性である「枚目／枚数」の属性値は「１／３」、「２／３」、「３／３」、等である。
製造管理カラム情報１１１は、そのような属性とともに、各々の属性をバリアブルＰＤＦ原稿２００’に属性値として付与するときの配置、属性値のフォーマット（桁数等）、文字種、サイズ、等の属性を含んでいる。
製造管理カラム情報設定手段１２１は、ＯＳ（Operating System）上で操作可能なインターフェースを提供するＧＵＩ（Graphical User Interface）を使用し、オペレータの指示入力にしたがって、カラムの位置及び属性値を決定し、製造管理カラム情報１１１を設定する。
【００１４】
製造管理情報付加手段１２２は設定した製造管理カラム情報１１１に基づいてバリアブルＰＤＦ原稿２００’に製造管理情報１１２を付加する。たとえば、バリアブルＰＤＦ原稿２００’が３万人の顧客に対する１０万枚の印刷物に相当する原稿であるものとする。また、製造管理情報付加手段１２２は製造管理カラム情報１１１の「枚目／枚数」対する製造管理情報１１２を各々の顧客のバリアブルＰＤＦ原稿２００’に付加するものとする。このとき、たとえば、１人目の顧客分の各枚目には「１／３」、「２／３」、「３／３」を付加し、２人目の顧客分の各枚目には「１／２」、「２／２」を付加し、３人目の顧客分の各枚目には「１／４」、「２／４」、「３／４」、「４／４」を付加し、・・・・、３万人目の顧客分の各枚目には「１／３」、「２／３」、「３／３」を付加する等の処理を製造管理情報付加手段１２２は行う。
製造管理情報付加手段１２２は、製造管理情報１１２を生成しながらバリアブルＰＤＦ原稿２００’に付加することができる。また、バリアブルＰＤＦ原稿２００’のすべてのページと製造管理カラム情報１１１のすべての属性に対応させて製造管理情報１１２を生成させ、バリアブルＰＤＦ原稿２００’にその生成した製造管理情報１１２を付加することができる。
【００１５】
検査プロファイル作成手段１２３は印刷物の発注者から印刷会社に入稿したバリアブルＰＤＦ原稿２００’を検査するための検査プロファイル１１７を作成する。バリアブルＰＤＦ原稿２００’の検査はそのすべてのページが適正な仕様（設定内容、様式、等）で統一されており、それに基づいて適正な印刷物を得ることができるか否かを判定するための検査である。
検査プロファイル１１７は、製造条件（印刷機、封入封緘機、等のすべての製造工程における条件）とサンプリングしたバリアブルＰＤＦ原稿に基づいて決定する検査の具体的な内容である。検査プロファイル１１７の一例を表として図３に示す。図３においては、チェック項目とエラー例が示されている。チェック項目としては１．プロセスカラー、２．フォントスタイル、３．埋め込みフォント、４．文字サイズ、５．線画、６．画像位置、７画像解像度、８．レイヤー、９．ＱＲコード、１０．装飾、１１．オーバープリント、１２．透明オブジェクト、１３．ファイル名が挙げられている。
【００１６】
チェック項目１．プロセスカラーのエラー例（エラー内容）としては（１）ＲＧＢが使用されている、（２）キャリブレーション済みのグレーまたはＲＧＢが使用されている、（３）Ｌａｂカラーが使用されている、（４）ＩＣＣベースカラーが使用されている、（５）特色が使用されている、が挙げられている。当然ながら、印刷においてはプロセスカラー（ＹＭＣＫ）だけが一般的に使用可能である。
チェック項目２．フォントスタイルのエラー例（エラー内容）としては（１）擬似ボールドスタイルが使用されている。（２）擬似イタリックスタイルが使用されている。（３）擬似アウトラインスタイルが使用されている、が挙げられている。当然ながら、可変情報の印刷機（たとえばインクジェットプリンター）によって印字が可能なフォントスタイルだけが使用可能である。
チェック項目３．埋め込みフォントのエラー例（エラー内容）としては（１）フォントが埋め込まれておらず、アウトライン化もされていない、が挙げられている。当然ながら、印字を行うためには。フォントが埋め込まれているか、アウトライン化もされている必要性がある。
図３に示す他のチェック項目についても同様であり、図３における記述内容により理解は容易であるから説明を省略する。
【００１７】
ＰＤＦ仕様検査手段１２４は作成した検査プロファイル１１７に基づいてバリアブルＰＤＦ原稿２００’の仕様を検査する。ＰＤＦ仕様検査手段１２４はバリアブルＰＤＦ原稿２００’の全ページに対して、検査プロファイル１１７におけるすべてのチェック項目に関するチェックを実行しＰＤＦ仕様検査結果１１９を生成する。ＰＤＦ仕様検査結果１１９は、バリアブルＰＤＦ原稿２００’の各ページに対応させて、エラーの有無と、エラーが有るときには、そのエラーの内容を記述するファイルである。
不良ページ除去手段１２５は、そのＰＤＦ仕様検査結果１１９に基づいて、検査で不良と判定されたページを含む顧客単位の全ページを除去した新たなバリアブルＰＤＦ原稿（図示せず）を生成する。不良ページ除去手段１２５はＰＤＦ仕様検査手段１２４が生成したＰＤＦ仕様検査結果１１９を参照しながら不良ページを含む顧客単位の全ページを除去する。
【００１８】
顧客カラム情報設定手段１２６はバリアブルＰＤＦ原稿２００’の可変情報に含まれている顧客情報１１４のカラム情報である顧客カラム情報１１３を設定する。顧客カラム情報１１３は、一人一人の顧客に係わる属性であって、たとえば、レコードキー、顧客キー（顧客ＩＤ番号等のユニークキー）、住所、氏名、郵便番号、電話番号、等である。顧客情報１１４は、それらの属性値である。たとえば、属性である「氏名」の属性値は「日本  太郎」、「日本  花子」、等である。
また、顧客カラム情報設定手段１２６は追記する顧客データ３００’についても顧客情報１１４と同様の処理を行う。
顧客カラム情報１１３は、そのような属性とともに、各々の属性が付与されているバリアブルＰＤＦ原稿における位置、属性値のフォーマット（桁数等）、文字種、サイズ、等の属性を含んでいる。
顧客カラム情報設定手段１２６は、ＧＵＩを使用しバリアブルＰＤＦ原稿における可変情報を表示し、その表示に対するオペレータの指示入力にしたがってそのような属性を決定し、顧客カラム情報１１３として設定する。
【００１９】
顧客単位枚数情報抽出手段１２６は設定した顧客カラム情報１１３に基づいてバリアブルＰＤＦ原稿における顧客単位枚数情報１１５を抽出する。たとえば、顧客カラム情報１１３における「顧客キー」が同一であるバリアブルＰＤＦ原稿のページから枚数を算出することによって顧客単位枚数情報１１５を抽出することができる。顧客単位枚数情報１１５は、たとえば、顧客キーと枚数をカラム情報（属性）とする表形式データ（リレーション）として得ることができる。
【００２０】
質量区分情報設定手段１２８は質量区分情報１１６を設定する。質量区分情報１１６は、たとえば、バリアブルＰＤＦ原稿を顧客キー単位で枚数ごとに集約し、重量区分単位にバリアブルＰＤＦ原稿を分割するために使用される。質量区分情報１１６は、たとえば、用紙の枚数と重量との関係を用紙の種類ごとに定めたデータである。質量区分情報設定手段１２７は、ＧＵＩを使用し、オペレータの指示入力にしたがって質量区分情報１１６を設定する。具体例としては、質量区分情報設定手段１２７は、料金割引が適用される郵便物における重量区分（たとえば、２５ｇ以下、５０ｇ以下、等）に対応して、ある種類の用紙については、１〜６枚は２５ｇ以下、７〜１２枚は２５〜５０ｇ、１３〜１８枚は７５ｇ、１９〜２４枚は１００ｇ、２５枚以上は定形外というように質量区分情報１１６を設定する。
【００２１】
顧客単位質量情報演算手段１２８は設定した質量区分情報１１６と抽出した顧客単位枚数情報１１５に基づいて顧客単位質量情報１１８を演算する。顧客単位質量情報１１８は、たとえば、顧客キーと枚数と質量（または質量区分）をカラム情報（属性）とする表形式データ（リレーション）として得ることができる。
なお、複数の種類の用紙を使用するときには、用紙の種類と枚数から決まる質量をすべての種類の用紙について合算した後に、料金割引が適用される郵便物における重量区分にしたがって質量区分を行う。
顧客単位質量順ソート手段１３０は演算した顧客単位質量情報１１８に基づいてバリアブルＰＤＦ原稿を質量順に顧客単位で並び替える。この並び替えによって並び替えたバリアブルＰＤＦ原稿５００を得る。この並び替えを行って得たバリアブルＰＤＦ原稿５００のファイルは１つのファイルとしてもよく、また料金割引が適用される郵便物における重量区分にしたがって分割した複数のファイルとしてもよい。分割したファイル単位で印刷、封入封緘した製品（郵便物）は、そのロットのすべてが同一重量区分となるから郵送手続までの処理が簡単となり間違いがなくなる。
【００２２】
可変情報追記手段１３１は入稿したバリアブルＰＤＦ原稿の可変情報には含まれていなかった新規の可変情報を前記バリアブルＰＤＦ原稿に追記する。可変情報追記手段１３１による追記は、前述した製造管理情報付加手段１２２等によって行われる管理情報の付加と同様の処理によって行うことができる。追記する新規の可変情報は顧客に係わるデータが多く、図２における追記する顧客データ３００’がそれである。具体例としてはカスタマーバーコードを挙げることができる。カスタマーバーコードは宛先の住所を表すバーコードであって、料金割引を受けようとする場合に発送者があらかじめ郵便物に印刷するバーコードである。カスタマーバーコードは顧客情報１１４における住所と対応しているから、可変情報追記手段１３１は顧客情報１１４を参照してカスタマーバーコードを生成し追記する顧客データ３００’として記憶部１１０に記憶することができる。
【００２３】
なお、図２には示していないが、本発明のバリアブルＰＤＦ編集システムは面付・分割単位設定手段を有する。面付・分割単位設定手段は、編集の最終段階のバリアブルＰＤＦ原稿（たとえば、前述の顧客単位質量順ソート手段１３０が重量区分にしたがって分割した複数のファイル）に対して、その各ページを印刷するときの面付、すなわち多面付（帳票印刷においては通常は２面付）するときの面付け（配置）を設定する。また、面付・分割単位設定手段は編集の最終段階のバリアブルＰＤＦ原稿に対して、ロール単位に分割したＰＤＦ（製造管理情報付バリアブルＰＤＦ４００’）を出力するための設定を行う。ロール単位というのは、印刷用巻取紙であるロールの全幅全長、一本のロールに印刷可能なページ数、封入封緘機の仕様、等の印刷条件によって決めるファイルのデータサイズのことである。
【００２４】
以上、構成について説明した。次に、本発明のバリアブルＰＤＦ編集システムにおける動作について説明する。その動作は、バリアブルＰＤＦ原稿２００’に対してデータ処理の内容を設定する設定過程と、設定したデータ処理の内容に基づいて製造管理情報付バリアブルＰＤＦ４００’を生成し出力する出力過程の２つを含んでいる。
まず、設定過程について説明する。本願発明のバリアブルＰＤＦ編集システムにおける設定に係わるデータ処理の過程をフロー図として図４に示す。
まず、図４のステップＳ１（検査プロファイル作成）において、検査プロファイル作成手段１２３は、オペレータによるＧＵＩを介した指示入力に従って、バリアブルＰＤＦ原稿２００’を検査するための検査プロファイル１１７を作成する。
次に、ステップＳ２（顧客カラム情報設定）において、顧客カラム情報設定手段１２６は、オペレータによるＧＵＩからの指示入力に従って、バリアブルＰＤＦ原稿２００’の可変情報に含まれている顧客情報１１４のカラム情報である顧客カラム情報１１３を設定する。
次に、ステップＳ３（質量区分情報設定）において、質量区分情報設定手段１２８は、オペレータによるＧＵＩからの指示入力に従って、質量区分情報１１６を設定する。
次に、ステップＳ４（製造管理カラム情報設定）において、製造管理カラム情報設定手段１２１は、オペレータによるＧＵＩを介した指示入力に従って、製造工程を管理するための製造管理情報１１２のカラム情報である製造管理カラム情報１１１を設定する。
次に、ステップＳ５（可変情報追記設定）において、顧客カラム情報設定手段１２６は、オペレータによるＧＵＩを介した指示入力に従って、追記する顧客データ３００’、等における追記する可変情報を設定する。
次に、ステップＳ６（面付・分割単位設定）において、面付・分割単位設定手段は面付・分割単位を設定する。
【００２５】
次に、出力過程について説明する。本願発明のバリアブルＰＤＦ編集システムにおける出力に係わるデータ処理の過程をフロー図として図４に示す。
まず、図５のステップＳ１０１（バリアブルＰＤＦ原稿チェック）において、ＰＤＦ仕様検査手段１２４は作成した検査プロファイルに基づいてバリアブルＰＤＦ原稿の仕様を検査する。そしてＰＤＦ仕様検査手段１２４はＰＤＦ仕様検査結果１１９を生成する。さらに、不良ページ除去手段１２５はそのＰＤＦ仕様検査結果１１９に基づいてその検査で不良と判定されたページを含む顧客単位の全ページを除去した新たなバリアブルＰＤＦ原稿（図示せず）を生成する。
次に、ステップＳ１０２（顧客単位枚数情報算出）において、顧客単位枚数情報抽出手段１２７は設定した顧客カラム情報に基づいて上記の新たなバリアブルＰＤＦ原稿における顧客単位の枚数情報を抽出する。
次に、ステップＳ１０４（重量区分情報ソート）において、顧客単位質量情報演算手段１２９は設定した質量区分情報と枚数情報に基づいて顧客単位の質量情報を演算する。さらに、顧客単位質量順ソート手段１３０は演算した質量情報に基づいて上記の新たなバリアブルＰＤＦ原稿を質量順に顧客単位で並び替える。
次に、ステップＳ１０４（管理情報の付与）において、製造管理情報付加手段１２２は設定した製造管理カラム情報１１１に基づいて上記の並び替えたバリアブルＰＤＦ原稿に製造管理情報を付加する。
次に、ステップＳ１０５（可変情報追記）において、可変情報追記手段１３１は入稿したバリアブルＰＤＦ原稿２００’の可変情報には含まれていなかった新規の可変情報（追記する顧客データ３００’、等）を上記の並び替えたバリアブルＰＤＦ原稿に追記する。
次に、ステップＳ１０６（面付・分割）において、面付・分割単位処理部は面付・分割単位の設定に基づいて上記の追記したバリアブルＰＤＦ原稿に対して面付・分割単位の処理を行う。
次に、ステップＳ１０７（製造管理情報付バリアブルＰＤＦ出力）において、上記の面付・分割単位の処理によって得られた製造管理情報付バリアブルＰＤＦ４００’を記録媒体または、外部のシステム（印刷機、等）に製造管理情報付バリアブルＰＤＦ４００として出力する。
次に、ステップＳ１０８（ログファイル生成）において、上記出力過程におけるログファイル（図示せず）を生成し記憶部１１０に記憶する。ログファイルには、バリアブルＰＤＦ原稿２００’の仕様を検査するステップ（ステップＳ１０１）において除去された理由（図３に示すエラー内容、等）とページを特定することができる情報、出力した製造管理情報付バリアブルＰＤＦ４００’、４００の仕様、製造年月日、製造番号、等が含まれている。
【００２６】
製造管理情報付バリアブルＰＤＦ４００’、４００を印刷出力したページの一例を図６、図７に示す。図６は表ページ、図７は裏ページである。図６、図７に示すように、印刷用紙はピントラクターにより送り量を規制することが可能なピン孔を有する帳票用紙である。
図６、図７において、４０１はバリアブルＰＤＦ原稿２００’、２００に存在する宛先（住所氏名）である。４０２は追記する顧客データ３００’、３００の１つのカスタマーコードである。４０３，４０４は顧客情報１１４の１つの顧客コードである。顧客コードは、図６、図７に示す一例においては、「００３０」が印字されている。そこに「顧客コード」と印字されているが、判り易いように示したものであって、実際の印刷物には「００３０」だけが印字されている。
【００２７】
また、４１１以降は製造管理情報１１２であり、４１９までが表ページ、それ以降が裏ページである。４１１は枚目／枚数、４１２は処理日‐回数‐進行単位、４１３は通数連番、４１４は管理情報のＱＲコード、４１５は通しページ連番のバーコード（たとえば、ＪＩＳ−Ｘ−０５０３として規格化されたＮＷ７）、４１６は各印刷色の通しページ連番、４１７は見当マーク（トンボ）、４１８はページ連番のＱＲコード、４１９はページ連番、４２０は見当マーク（トンボ）、４２１は各印刷色の通しページ連番、４２２は通しページ連番のバーコード（、４２３はページ連番のＱＲコード、４２４はページ連番である。
枚目／枚数４１１としては、上述の「顧客コード」と同様に、実際の印刷物には「０００１／０００１」だけが印字されている。処理日‐回数‐進行単位４１２としも「１２３４５６−００１１−０００１」だけが印字されている。同様に、通数連番４１３としては「９９９９９９９９９」、ＱＲコード４１４はＱＲコードそのもの、通しページ連番のバーコード４１５，４２２としてはバーコードそのもの、各印刷色の通しページ連番４１６，４２１としては「９９９９９９」、ページ連番のＱＲコード４１８，４２３としてはＱＲコードそのもの、見当マーク４１７，４２０はとしてはトンボそのもの、ページ連番のＱＲコード４１８としてはＱＲコードそのもの、ページ連番４１９，４２４としては「００００００９」だけが印字されている。
【産業上の利用可能性】
【００２８】
不特定多数ではなく、個人を識別できるレベルの顧客に対して、ダイレクトメール、法律的に義務づけられた帳票の発送、電子帳票情報を配信する業務、等において利用可能である。
【符号の説明】
【００２９】
１００  バリアブル編集システム
１１０  記憶部
１１１  製造管理カラム情報
１１２  製造管理情報
１１３  顧客カラム情報
１１４  顧客情報
１１５  顧客単位枚数情報
１１６  質量区分情報
１１７  検査プロファイル
１１８  顧客単位質量情報
１１９  ＰＤＦ仕様検査結果
１２０  処理部
１２１  製造管理カラム情報設定手段
１２２  製造管理情報付加手段
１２３  検査プロファイル作成手段
１２４  ＰＤＦ仕様検査手段
１２５  不良ページ除去手段
１２６  顧客カラム情報設定手段
１２７  顧客単位枚数情報抽出手段
１２８  質量区分情報設定手段
１２９  顧客単位質量情報演算手段
１３０  顧客単位質量順ソート手段
１３１  可変情報追記手段
２００，２００’  バリアブルＰＤＦ原稿
３００，３００’  追記する顧客データ
４００，４００’  製造管理情報付バリアブルＰＤＦ
４０１  宛先（住所氏名）
４０２  カスタマーコード
４０３，４０４  顧客コード
４１１  枚目／枚数
４１２  処理日‐回数‐進行単位
４１３  通数連番
４１４  管理情報のＱＲコード
４１５，４２２  通しページ連番のバーコード
４１６，４２１  各印刷色の通しページ連番
４１７，４２０  見当マーク（トンボ）
４１８，４２３  ページ連番のＱＲコード
４１９，４２４  ページ連番
５００  並び替えたバリアブルＰＤＦ
【図１】
2010198403.tif 000003
【図２】
2010198403.tif 000004
【図３】
2010198403.tif 000005
【図４】
2010198403.tif 000006
【図５】
2010198403.tif 000007
【図６】
2010198403.tif 000008
【図７】
2010198403.tif 000009